(57)【特許請求の範囲】
【請求項１】
通信接続を介して端末装置に電子情報を送信する送信装置における方法であって、
前記電子情報が前記端末装置に前記通信接続を介して転送される前に、フィルタリングのために特定のフィルタリングパラメータを該電子情報に関連付けるステップと、
前記電子情報が前記端末装置に前記通信接続を介して転送される前に、前記フィルタリングパラメータを前記端末装置に通知するステップと、
を有し、
前記フィルタリングパラメータは、該端末装置が該フィルタリングパラメータに基づいて該通信接続を介して該電子情報の転送を阻止するか許可するかのいずれかを自動的に可能にすることを目的にしている方法。
【請求項２】
前記端末装置からの応答を待つステップをさらに有する請求項１に記載の方法。
【請求項３】
前記フィルタリングパラメータは、事前に合意されたいくつかのクラスのうち少なくとも１つのクラスについての情報を含み、前記いくつかのクラスに基づいて前記電子情報が前記少なくとも１つのクラスに分類されている請求項１に記載の方法。
【請求項４】
前記電子情報が、個人的メッセージ、商業広告および特定主題に関連する情報、のうち１つであるかどうかを前記クラスが示す請求項３に記載の方法。
【請求項５】
通信接続を確立し、該通信接続を介して電子情報を受信するための手段（ＲＦ、ＡＥＲ）と、
フィルタリングパラメータを受信するための受信手段（ＭＰＵ、ＲＦ、ＡＥＲ）であって、該フィルタリングパラメータが受信されるべき前記電子情報に関連付けられる受信手段と、
前記フィルタリングパラメータを受信するための前記受信手段が通知メッセージのヘッダでフィルタリングパラメータを受信する手段と、
前記フィルタリングパラメータに基づいて、前記電子情報の受信を自動的に許可または阻止するための手段（ＭＰＵ）と、
を備え、
前記電子情報が阻止されていることを該フィルタリングパラメータが示す場合に、前記通信接続を介して該電子情報を受信しないように構成されている端末装置。
【請求項６】
特定のフィルタリングパラメータに基づいて、前記電子情報の受信が許可または阻止されていることを事前にマーキングするための手段（ＵＩ、ＭＰＵ）と、
受信された前記フィルタリングパラメータを事前になされた前記マーキングと比較するための手段（ＭＰＵ）と、
を備え、
前記電子情報の受信が許可されていることが前記比較により示された場合にのみ、前記通信接続を介して該電子情報を受信するように構成されている請求項５に記載の端末装置。
【請求項７】
前記フィルタリングパラメータの無線による受信のための手段（ＲＦ，ＡＥＲ）を備える請求項５に記載の端末装置。
【請求項８】
ＷＡＰプロトコルにより送信されたデータユニットのヘッダ内に前記フィルタリングパラメータを含む手段をさらに備える請求項５に記載の端末装置。
【請求項９】
通信接続を介して端末装置へ転送される電子情報をフィルタリングするためのシステムであって、該電子情報を転送するためのデバイスと、該電子情報を受信するための端末装置とを備えるシステムにおいて、
前記電子情報が前記通信接続を介して前記端末装置へ転送される前にフィルタリングするために、特定のフィルタリングパラメータを該電子情報に関連付けるための手段（ＭＰＵ）と、
前記電子情報が前記通信接続を介して前記端末装置へ転送される前に、該端末装置（ＭＳ）に前記フィルタリングパラメータを通知するための手段（ＭＭ−ＳＣ）と、
を備え、
前記端末装置は、通知された前記フィルタリングパラメータをチェックし、該フィルタリングパラメータに基づいて前記電子情報の受信を許可または阻止するための手段を備え、
前記の受信の許可に応答して、前記電子情報が前記デバイスから前記通信接続を介して前記端末装置へ転送され、
前記の受信の阻止に応答して、前記電子情報が前記デバイスから前記通信接続を介して前記端末装置へ転送されないシステム。
【請求項１０】
前記端末装置（ＭＳ）は、
前記の許可を該端末装置から前記通信接続を介して通知し、この後に、前記デバイスから該端末装置に該通信接続を介して前記電子情報を送信するか、
該端末装置により該通信接続を介して該電子情報を該端末装置に取り込むか、
のいずれかによって、前記の受信を許可するように構成され、
該端末装置から該電子情報の拒絶を通知することによって前記の受信を阻止するように構成され、その結果、該電子情報を該端末装置へ送信しないように構成されている請求項９に記載のシステム。
【請求項１１】
通信接続を介して電子情報を端末装置へ送信するためのデバイスであって、
前記電子情報が前記通信接続を介して前記端末装置へ転送される前にフィルタリングするために、特定のフィルタリングパラメータを該電子情報に関連付けるための手段（ＭＰＵ）と、
前記電子情報が前記端末装置に前記通信接続を介して転送される前に、前記端末装置（ＭＳ）に前記フィルタリングパラメータを通知するための手段（ＭＭ−ＳＣ）と、
を備え、
前記フィルタリングパラメータは、該フィルタリングパラメータに基づいて該端末装置が該電子情報を該通信接続を介して受信することを阻止または許可するかのいずれかを自動的に可能にすることを目的にしているデバイス。
【請求項１２】
前記フィルタリングパラメータは、事前に合意されたいくつかのクラスのうち少なくとも１つのクラスについての情報を含み、前記いくつかのクラスに基づいて前記電子情報が前記少なくとも１つのクラスに分類されている請求項１１に記載のデバイス。
【請求項１３】
指定基準を保持するための手段（ＭＰＵ）であって、指定数のフィルタリングパラメータと基準とがあり、それに基づいて前記指定数のフィルタリングパラメータのうち特定のフィルタリングパラメータを関連付けるようにデバイスが構成されている手段と、
デバイスのユーザーによる前記指定基準の変更を防止するために、該指定基準を不正操作から保護したまま維持するための手段（ＭＥＭ）と、
前記指定基準に基づいて前記フィルタリングパラメータを前記電子情報に自動的に関連付けるための手段（ＭＰＵ）と、
を備える請求項１１に記載のデバイス。
【請求項１４】
前記フィルタリングパラメータは、前記電子情報のオリジナルソースを識別するための情報をさらに含む請求項１１に記載のデバイス。
【請求項１５】
前記フィルタリングパラメータは、前記電子情報の内容を識別するための情報をさらに含む請求項１１に記載のデバイス。
【請求項１６】
前記デバイスがサーバ（ＭＭ−ＳＣ）または端末装置（ＭＳ）である請求項１１に記載のデバイス。
【請求項１７】
端末装置に転送されるべき電子情報をフィルタリングする方法であって、
前記電子情報が前記通信接続を介して前記端末装置へ転送される前に該電子情報をフィルタリングするために、特定のフィルタリングパラメータを該電子情報に関連付けさせるステップと、
前記電子情報が前記通信接続を介して前記端末装置へ転送される前に、該端末装置へ前記フィルタリングパラメータを通知させるステップと、
前記電子情報に関連するフィルタリングパラメータに反する通知されたフィルタリングパラメータを前記端末装置でチェックするステップと、
前記のチェックされたフィルタリングパラメータが前記の通知されたフィルタリングパラメータに一致する場合には、前記電子情報の受信を許可するステップであって、該電子情報は前記通信接続を介して前記端末装置に転送されるステップと、
前記のチェックされたフィルタリングパラメータが前記の通知されたフィルタリングパラメータに一致しない場合には、前記電子情報の受信を阻止するステップであって、該電子情報は前記通信接続を介して前記端末装置に転送されないステップと、
を有する方法において、
前記フィルタリングパラメータは、事前に合意されたいくつかのクラスのうち少なくとも１つのクラスについての情報を含み、前記いくつかのクラスに基づいて前記電子情報が前記少なくとも１つのクラスに分類されており、該クラスは、該電子情報が個人的メッセージ、商業広告または特定主題に関連する情報であるかどうかを示す方法。
【請求項１８】
通信接続を介して端末装置に転送されるべき電子情報を、コンピュータにフィルタリングさせるための、コンピュータ可読コードを備えるコンピュータプログラムであって、該コンピュータプログラム内の該コンピュータ可読コードが、
前記電子情報が前記通信接続を介して前記端末装置へ転送される前に該電子情報をフィルタリングするために、コンピュータに特定のフィルタリングパラメータを該電子情報に関連付けさせるためのコンピュータ可読プログラムコードと、
前記電子情報が前記通信接続を介して前記端末装置へ転送される前に、コンピュータに該端末装置へ前記フィルタリングパラメータを通知させるためのコンピュータ可読プログラムコードと、
コンピュータに前記端末装置の通知されたフィルタリングパラメータをチェックさせるためのコンピュータ可読プログラムコードと、
前記の通知されたフィルタリングパラメータに基づいて前記電子情報の送信をコンピュータに許可させるかまたは阻止させるかするためのコンピュータ可読プログラムコードと、
前記電子情報の転送を許可する前記端末装置に応答して、コンピュータに該電子情報を前記通信接続を介して該端末装置に転送させるためのコンピュータ可読プログラムコードと、
前記端末装置から、前記電子情報を送信する許可を受信していないことに応答して、コンピュータに該電子情報を前記通信接続を介して該端末装置に転送させないためのコンピュータ可読プログラムコードと、
を備え、
前記フィルタリングパラメータは、事前に合意されたいくつかのクラスのうち少なくとも１つのクラスについての情報を含み、前記いくつかのクラスに基づいて前記電子情報が前記少なくとも１つのクラスに分類されており、該クラスは、該電子情報が個人的メッセージ、商業広告および特定主題に関連する情報のうちの１つであるかどうかを示すコンピュータプログラム。
【請求項１９】
通信接続を介して端末装置に転送されるべき電子情報を、コンピュータにフィルタリングさせるための、コンピュータ可読コードを備えるコンピュータ使用可能媒体であって、該コンピュータ使用可能媒体内の該コンピュータ可読コードが、
前記電子情報が前記通信接続を介して前記端末装置へ転送される前に該電子情報をフィルタリングするために、コンピュータに特定のフィルタリングパラメータを該電子情報に関連付けさせるためのコンピュータ可読プログラムコードと、
前記電子情報が前記通信接続を介して前記端末装置へ転送される前に、コンピュータに該端末装置へ前記フィルタリングパラメータを通知させるためのコンピュータ可読プログラムコードと、
コンピュータに前記端末装置の通知されたフィルタリングパラメータをチェックさせるためのコンピュータ可読プログラムコードと、
前記の通知されたフィルタリングパラメータに基づいて前記電子情報の送信をコンピュータに許可させるかまたは阻止させるかするためのコンピュータ可読プログラムコードと、
前記電子情報の転送を許可する前記端末装置に応答して、コンピュータに該電子情報を前記通信接続を介して該端末装置に転送させるためのコンピュータ可読プログラムコードと、
前記端末装置から、前記電子情報を送信する許可を受信していないことに応答して、コンピュータに該電子情報を前記通信接続を介して該端末装置に転送させないためのコンピュータ可読プログラムコードと、
を備え、
前記フィルタリングパラメータは、事前に合意されたいくつかのクラスのうち少なくとも１つのクラスについての情報を含み、前記いくつかのクラスに基づいて前記電子情報が前記少なくとも１つのクラスに分類されており、該クラスは、前記電子情報が個人的メッセージ、商業広告および特定主題に関連する情報のうち１つであるかどうかを示すコンピュータ使用可能媒体。
【発明の詳細な説明】
【０００１】
本発明は、端末装置へ転送される電子情報のフィルタリングに関する。本発明は、特にワイヤレス端末装置へのメッセージングにおけるプッシュ方式によるフィルタリングに関するが、必ずしもこれに限定されない。
【０００２】
ＧＳＭシステムのような、デジタル移動電話システムにおいては、短いテキストメッセージ、いわゆるショートメッセージを送ることができる。ＧＳＭシステムにおいては、これはショートメッセージサービス（ＳＭＳ）の名で知られている。したがって、呼び出しおよびデータ転送に加え、ＧＳＭシステムは、双方向ページングシステム様のサービスを、ショートメッセージサービスの形で提供する。
【０００３】
呼び出しと比較したショートメッセージの利点は、たとえ送信時点で受信機と正確に接触できなかったしても、受信機にメッセージを配信できることである。これは、１つの移動局から別の移動局へのショートメッセージの送信を２つの部分に分割することによって実施される。最初は、送信移動局（または、例えばコンピュータ）からショートメッセージサービスセンター（ＳＭ−ＳＣ）であり、ここでショートメッセージが蓄えられ、実際の宛先、すなわち接触できる時の受信移動局、へさらに送信される。ショートメッセージ通信は接続型ではなくて非接続型通信である。すなわち、最初、送信デバイスと受信デバイスとの間に接続は全く確立されないが、ショートメッセージサービスにおいては、メッセージは、特定のショートメッセージサービスセンターに蓄積され、あるワイヤレス端末装置にアドレスされたメッセージをプッシュすることにより、そのワイヤレス端末装置に連絡がつき次第、受信端末装置へ転送される。したがって、ショートメッセージサービスセンターは、非接続型プッシュ法を用いてショートメッセージを移動局に配信すると言うことができる。
【０００４】
ショートメッセージ通信は非常な人気を博し、フィンランドではオペレータ１社の売上げの１０％ほどもがショートメッセージによる。ショートメッセージ通信の人気により、メッセージがほぼリアルタイムに受信機へ転送される、他の類似の通信サービスの開発が始まっている。そのような通信の新形態の１つは、Ｎｏｋｉａ３２１０フォンにおける画像メッセージングであるが、そこでは画像はショートメッセージで転送される。画像通信により、サイズが７２＊２８ピクセルのグラフィック画像メッセージをコンピュータまたは移動局から別の移動局へ送信することが可能になる。さらに、画像メッセージ中には、さらに最大で１２０個のＡＳＣＩＩテキスト文字も表示し得る。加えて、Ｎｏｋｉａ９１１０コミュニケータでは、ＪＰＥＧ画像を含む電子名刺の送受信も可能である。送信は、複数の連結されたショートメッセージとして実施される。
【０００５】
さらに、ワイヤレス移動ネットワーク用に、マルチメディアメッセージングサービスが開発されており、そこではマルチメディアコンポーネント、すなわち電子形式（例えば、ＪＰＥＧおよびＧＩＦ形式）の画像とテキストの他に短いビデオクリップ（例えば、ＭＰＥＧ形式）およびオーディオクリップ（例えば、ＭＰ３形式）、を含むメッセージの送信が可能になるであろう。加えて、マルチメディアメッセージングサービスにより、大きいイメージまたはデータファイルのようなより広い帯域を必要とするファイルの送受信を可能にするか可能にすると期待されるであろう。この意図も、プッシュ方式を用いてショートメッセージサービスと同様にマルチメディアメッセージングサービスを実施することであり、そこではメッセージは、受信デバイスに連絡がつき次第直ちにこの受信デバイスに配信される。例えば、ＷＡＰ通信（ワイヤレスアプリケーションプロトコル）が、ベアラ、すなわち将来のシステムにおける第３世代移動通信システム、として用い得る。
【０００６】
プッシュ方式で作動するこれらのタイプの通信サービスには特有の問題がある。すなわち、例えば、ショートメッセージの送信は以下の通り実施される。
１）送信者が自分の端末装置を用いてメッセージ、例えば、「やあ、ジョン。駅からスキー場方向に向かって最初のカフェで会おう。その店は角にある。トムより」を書く。
２）送信者は受信者の電話番号を選択し、メッセージを送る。
３）数秒以内に受信者の端末装置は、一般に、例えば着信音により着信メッセージを知らせ、「端末装置のディスプレイに、テキストメッセージが着信しました」のメッセージが出る。
４）受信者が「リード」キーを押すと、受信端末装置のディスプレイ上に当該メッセージが表示される。
【０００７】
プッシュ方式によりメッセージが配信されるので、受信者が聞かれることなくメッセージは直接受信者に来て、「リード」キーが押されるとすぐに、メッセージは受信者デバイスのディスプレイ上に表示される。この結果、例えば広告やその他の非加入情報、ならびに例えば成人向けサービスといった好ましくないメッセージも受信者へ送られてしまう。マルチメディア通信において、好ましくないメッセージの受信は、例えば静止画やビデオ・オーディオクリップとしてマルチメディアコンポーネントがメッセージ中に含まれているためにより不快なことがある。したがって、いくつかの国では、ショートメッセージを用いたサービスの広告は禁じられている。一方、ショートメッセージの内容がコントロールできれば、宣伝は消費者に実に役立つものとなろう。消費者も広告を受信することに合意するという条件で、消費者は、例えば、ある通信サービスの呼び出しまたは使用権を無料で受け取ることができるであろう。
【０００８】
プル方式により到来するメッセージまたは他の電子情報の受信において同様な問題に遭遇し得る。ユーザーにより、端末装置は、例えば、あるサーバ（ウェブサーバまたはＷＡＰサーバ）からファイルが何を含んでいるかを正確に知らずにそのファイルをダウンロードし得る。このケースでは、ユーザーは電子情報を意識的にダウンロードするが、それにもかわらず、好ましくない情報を入手してしまうことがある。
【０００９】
さらに、とりわけマルチメディアメッセージはサイズが大きく、その結果、そのメッセージを端末装置に配信するのは遅く、通信時間を多く消費する。加えて、マルチメディアメッセージの受信には、受信端末装置の処理を多く必要とし、その結果、受信に多くの電流を消費する。通常、ワイヤレス端末は充電可能バッテリーで作動し、電流消費量は極力最小にされる。なぜならば、バッテリーの動作時間は端末装置のユーザーにとって重要な判断基準だからである。それゆえ、不必要で好ましくないメッセージの受信も、付加的な電流消費を招き、これによりバッテリー切れがより早まる。バッテリーの動作時間は、サイズおよび重量のために小型バッテリーを有している移動電話のような小型のハンドヘルド端末装置においてとりわけ決定的である。また、この理由のため、好ましくないメッセージの受信が、特にワイヤレスバッテリー作動端末装置については、阻止または少なくとも制御できるのがよい。
【００１０】
現在、方法、システム、デバイスおよび端末装置が、端末装置、好ましくはワイヤレス端末装置への電子情報転送における電子情報フィルタリング用に発明されている。送信前、フィルタリング用に意図された特定のパラメータが電子情報に添付され、それによってワイヤレス端末装置への配信前に電子情報が分類され、受信端末装置は最初に前記パラメータを通知される。パラメータに基づき、端末装置は、前記電子情報の受信を許可または阻止する。好ましくは、電子情報の送信前にパラメータは別個の通知メッセージ中で端末装置へ送信されるが（端末装置が受信を許可すると通知して初めて実行される）、代わりに、パラメータは、ヘッダ情報のようなメッセージの最初の部分に含まれ、これを端末装置が最初に読み（すなわち、端末装置は、実際の内容の受信前にパラメータを通知される）、したがって、ヘッダ中のパラメータに基づき、受信が阻止されることが判明すれば、実際の電子的内容が入っているメッセージのベース部分が未受信で残される。受信端末装置は、その中でなされたプリセッティングに基づいて、フィルタリング（すなわち、受信の阻止または許可）を自動的に実行し得る。代わりに、端末装置が通知メッセージを受信すると、端末装置はユーザーにパラメータを（例えば、ディスプレイ上で）知らせ、その場合にユーザーは、電子情報の受信をユーザーインタフェースを用いて受け入れまたは拒絶する機会を有するようにしてフィルタリングを実施し得る。したがって、端末装置は特定のメッセージなどの特定の電子情報のみを受信する一方で、阻止されたメッセージを拒絶し、それらの受信を開始さえしない。この手順により、もし端末装置が最初にメッセージを受け取り、そしてこの後にのみそのメッセージがユーザーに対して表示されるか除去されるかを検討するのであれば、不必要なメッセージ処理に消費されるであろう不必要な電流消費が回避されることになる。同様に、移動通信ネットワークにおけるデータ転送は高価であり、その結果、本発明を用いることにより、不必要な経費が回避され、ネットワーク容量が、無線パス上での不必要なメッセージの転送を回避することによって節約される。したがって、電子情報の内容全体を検討することによってフィルタリングを実行する方法は、ワイヤレス端末装置にはあまり適さない。なぜならば、その場合にメッセージ全体を最初に受信する必要があり、これにより付加的処理が生じ、したがって、端末装置中での電流消費が生じるからである。
【００１１】
転送される電子情報は、メッセージ、ファイル等の任意の電子的内容とし得る。電子情報は、ショートメッセージ、画像メッセージおよびマルチメディアメッセージのような、好ましくはプッシュ方式を用いて配信される任意の情報とし得る。 電子情報は、接続が端末装置から意識的に確立される、サーバからダウンロードされたファイルまたはサーバ中の情報のような、プル方式を用いて配信される情報とすることもできる。
【００１２】
本発明の好ましい実施形態において、マルチメディアメッセージのような電子情報は常に送信前に分類される。すなわち、フィルタリングパラメータとして働く分類パラメータがメッセージに添付される。分類は、電子情報が蓄えられるサーバあるいは電子情報がワイヤレス端末装置に配信される前に通過するゲートウェイのような送信デバイスにより実行される。対応して、もしメッセージが別の端末装置から送信されると、前記パラメータの添付はその送信端末装置により自動的に実行される。したがって、ユーザーは、メッセージに添付されるパラメータを、送信メッセージに付加およびそのために選択することはできないが、これは送信デバイス（例えば、端末装置）により自動的に実行される。したがって、ユーザーはパラメータの付加も変更もできない。システムが電子情報の分類を処理すると言える。それゆえ、端末装置、サーバまたはゲートウェイのような各デバイスは事前に分類規則を含んでおり、これに基づいて、分類を示すパラメータ（ならびに、例えば、送信機、サービスプロバイダまたはサービス内容を示す他の考えられるパラメータ）が、そのデバイスから送信される各電子情報に自動的に付加される。好ましくは、当該規則は、どの個人ユーザーもそれを不正操作できないように、各デバイス中で安全に蓄積（暗号化）されている。
【００１３】
本発明の第１の態様によると、通信接続を介して端末装置へ送信される電子情報をフィルタリングするためのフィルタリング方法が実施され、該方法は、
通信接続を介して電子情報が端末装置へ転送される前に前記電子情報をフィルタリングするため、前記電子情報を転送しているデバイスにより前記電子情報に特定のフィルタリングパラメータが添付されるステップと、
通信接続を介して電子情報が端末装置へ転送される前に前記フィルタリングパラメータを端末装置に通知するステップと、
通知された前記フィルタリングパラメータを端末装置中でチェックし、前記フィルタリングパラメータに基づいて、電子情報の受信を許可または阻止し、その結果、
前記受信許可に応答して、電子情報は、通信接続を介して端末装置へ転送され、
前記受信阻止に応答して、電子情報は、通信接続を介して端末装置へ転送されない、ステップを含むことを特徴とする。
【００１４】
属性通信接続は、接続型または非接続型サービスとして実施し得る通信接続を意味する。接続型接触においては、実際のデータ通信が実施される前に、最初に所定の接続リンクが通信当事者間で確立される。これの例は、例えば、セルラーネットワーク中でのデータ呼び出しである。非接続型接触においては、どのような接続リンクも確立される必要はないが、データ送信は直ちに実施し得る。さらに、インターネットネットワークにおけるＵＤＰ（ユーザーデータグラムプロトコル）のような非接続型データ送信においては、データ送信に用いられるルートは事前に決定されない。
【００１５】
パラメータの付加に関しては、ここで転送デバイスとは、電子情報を作成したデバイス（例えば、端末装置またはサーバ）であって前記電子情報が由来する、すなわち電子情報を端末装置へ直接的またはサーバを介して送信するデバイス、あるいは電子情報を処理するデバイス（好ましくはサーバ）であて、すなわちメッセージが受信端末装置に配信される前にメッセージが通過する（例えば、蓄積交換メッセージングにおけるように）デバイスを意味する。
【００１６】
本発明の第２の態様によれば、通信接続を確立し該通信接続を介して電子情報を受信するための手段を含む端末装置が実施されており、
受信される電子情報に関連したフィルタリングパラメータを受信するための手段と、
前記フィルタリングパラメータに基づき電子情報の受信を許可または阻止するための手段とを含み、端末装置は、電子情報が阻止されていることをフィルタリングパラメータが示す時には、通信接続を介して電子情報を受信しないように構成されていることが該端末装置の特徴である。
【００１７】
ここで、端末装置は、移動局または通信ネットワークと通信するコンピュータ端末装置などの任意の端末装置とし得る。好ましくは、端末装置は、ワイヤレスバッテリー作動端末装置であり、通信は無線インタフェース上で行われる。本発明の好ましい実施形態においては、端末装置はセルラーネットワークの移動局、特に、外部通信用にＷＡＰプロトコルを用いるワイヤレスＷＡＰ端末装置である。
【００１８】
本発明の第３の態様によれば、通信接続を介して端末装置へ送信される電子情報をフィルタリングするためのシステムが実施され、該システムは、電子情報を転送するためのデバイスと、前記電子情報を受信するための端末装置とを含み、前記システムは、
通信接続を介して電子情報が端末装置へ転送される前にフィルタリングするため、特定のフィルタリングパラメータを電子情報に添付するための手段と、
通信接続を介して電子情報が端末装置へ転送される前に前記フィルタリングパラメータを端末装置に通知するための手段とを含み、前記端末装置は、通知された前記フィルタリングパラメータをチェックし、該フィルタリングパラメータに基づいて、電子情報の受信を許可または阻止するための手段を含み、
前記受信許可に応答して、電子情報は、前記デバイスから通信接続を介して端末装置へ転送され、
前記受信阻止に応答して、電子情報は、前記デバイスから通信接続を介して端末装置へ転送されないことを特徴とする。
【００１９】
本発明の好ましい実施形態においては、サービスは、端末装置、好ましくはワイヤレス端末装置へマルチメディアメッセージが転送される、マルチメディアメッセージングである。マルチメディアメッセージは、例えば、テキスト、音、画像または映像のような１つ以上のマルチメディアコンポーネントを含み得る。この実施形態によるマルチメディアメッセージングサービスは好ましくは、サーバが通信ネットワークと連絡するように実施され、前記サーバをマルチメディアメッセージが通過し、前記サーバは最初に、フィルタリングにおいて用いられるパラメータを含む通知メッセージを受信端末装置へ送信する。もしパラメータに基づいて端末装置がメッセージを受け入れれば、すなわちその受信を許可すれば、サーバはマルチメディアメッセージを端末装置へ送る（または、端末装置はサーバからメッセージを取り出す）。もし端末装置がメッセージを拒否すれば、すなわちその受信を阻止すれば、サーバはメッセージを端末装置へ送ることを試みない。
【００２０】
本発明を用いることにより、端末装置のユーザーは、どの電子情報を受信するかを調節でき、好ましくない情報の受信を少なくともある程度回避またはコントロールすることができる。好ましくは、端末装置に到来するすべての電子情報はサーバを通過し、該サーバは、すべての電子情報がフィルタリングパラメータを含むようにコントロールする。
【００２１】
本発明の第４の態様によれば、通信接続を介して電子情報を端末装置へ転送するためのデバイスが実施され、該デバイスは、
通信接続を介して電子情報が端末装置へ転送される前にフィルタリングするため、特定のフィルタリングパラメータを電子情報に添付するための手段を含み、前記フィルタリングパラメータは、該フィルタリングパラメータに基づいて、端末装置が、通信接続上で電子情報の受信を許可または阻止できるようにすることを意図していることを特徴とする。
【００２２】
本発明の好ましい１つの実施形態において、送信されるメッセージは、それらが本来、ｉ）別の端末装置からのような個人的なものであるか、ｉｉ）商業広告であるか、ｉｉｉ）その他の情報、すなわち天気情報、株式情報、ニュース等のある主題に関した情報を含む主題特定情報であるか、に応じて３つのメインクラスに分類される。こういう事情なので、これらのメインクラスの１つは、１次パラメータとし得る。加えて、さらにいくつかの特定のサブクラスおよび／またはメッセージの送信機に関連したＩＤ情報を２次パラメータとし得る。
【００２３】
以下に、添付の図面を参照して本発明を詳細に説明する。
【００２４】
以下に、代表的な適用環境としてＷＡＰ通信を用いた例によって本発明を説明する。ＷＡＰ技術により、ワイヤレス通信ネットワークのデジタル移動局への高度なインターネットサービスの供給が可能になる。ＷＡＰは、ＧＳＭ（移動体通信の国際的なシステム）、ＧＰＲＳ（汎用パケット無線サービス）、ＰＤＣ（パーソナルデジタルセルラー）、ＣＤＭＡ ＩＳ−９５（コード分割多元接続）、ＴＤＭＡ ＩＳ−１３６（時分割多元接続）のようなデジタルワイヤレス通信ネットワークおよびＷＣＤＭＡ（広帯域ＣＤＭＡ）およびＣＤＭＡ−２０００のような第３世代ネットワークの大半を全世界的にサポートするように設計されたオープンスタンダードである。ＷＡＰシステムは最近になって開発されたものであり、またＷＡＰシステム仕様はいくつかのケースにおいてのみ種々の実施のための枠組を決定するので、ＷＡＰシステムの任意の機能の実施のための公知の解決策は皆無である。
【００２５】
図１に示されたＷＡＰシステムにおいて、移動局ＭＳであるワイヤレス端末装置、ここでは外部通信用にＷＡＰプロトコルを使ういわゆるＷＡＰ端末装置は、インターネットネットワークのサーバ２０と通信できる。ＷＡＰ端末装置とインターネットネットワークとの間の接続は、ＷＡＰ端末装置ＭＳとインターネットネットワーク１８との間でメッセージング要素として働くＷＡＰゲートウェイ１５により実施される。ＷＡＰゲートウェイ１５は、必要時、ＷＡＰ端末装置ＭＳによりインターネットネットワーク１８へ送られたメッセージを、ＴＣＰ／ＩＰプロトコル（伝送制御プロトコル／インターネットプロトコル）のようなあるインターネットプロトコルに従ったメッセージに変換する。対応して、インターネットネットワーク１８からワイヤレスネットワーク１２に宛てられたメッセージは、ＷＡＰ端末装置ＭＳについては、必要時、ＷＡＰゲートウェイ１５中でＷＡＰプロトコル（例えば、ＷＳP、ワイヤレスセッションプロトコル）に従ったメッセージに変換される。ＷＡＰ端末装置ＭＳ自体は、セルラーネットワークの移動局あるいは、例えばセルラーネットワークの移動局を介して、ワイヤレスネットワーク１２と通信しているコンピュータ端末装置のような、外部通信用にＷＡＰプロトコルを用いる任意のデバイスとし得る。
【００２６】
ＷＡＰによりサポートされ、無線パス上での情報転送を意図した通信モードはベアラと呼ばれる。これらは、とりわけ、種々のネットワークにおいて、ＷＡＰショートメッセージ（ＳＭ）、データコール（ＣＳＤ、回路切換データ）およびパケット無線、すなわち、ＧＰＲＳサービス、ＵＳＳＤサービス（非構造化付加サービスデータ）、ならびにＷＡＰ仕様中で決定された他のベアラによりサポートされる。
【００２７】
そのプロトコルについては、ＷＡＰシステムは階層的システムである。ＷＡＰ端末装置とＷＡＰゲートウェイはどちらも、特定のＷＡＰプロトコル層を含むプログラム可能に実装されたＷＡＰプロトコルスタックを含む。ＷＡＰプロトコル層は、とりわけ、ＷＳＰ層（ワイヤレスセッションプロトコル）、ＷＴＰ層（ワイヤレストランザクションプロトコル）およびＷＤＰ層（ワイヤレスデータグラムプロトコル）である。ＷＡＰ端末装置の対応するＷＡＰプロトコル層とＷＡＰゲートウェイは、ＷＡＰ端末装置とＷＡＰゲートウェイとの間で特定のベアラ上で信頼できるデータ転送を実行するために、互いに連絡する。ＷＡＰアーキテクチャとプロトコル層は、ＷＡＰ仕様書中でより詳細に決定され、これはｈｔｔｐ：／／ｗｗｗ．ｗａｐｆｏｒｕｍ．ｏｒｇのアドレスで見い出すことができる。
【００２８】
ＷＡＰ通信においては、ワイヤレス端末装置とＷＡＰゲートウェイとの間にセッションが確立され、その間、端末装置とＷＡＰゲートとの間で大量の相互作用と多くのトランザクションがある。トランザクションは主として、端末装置とゲートウェイとの間で送信されるメッセージであり、それらはプッシュタイプまたはプルタイプのどちらにすることもできる。典型的には、メッセージはいわゆるデータグラムとして送信される。
【００２９】
データグラムはＷＡＰ ＷＤＰ仕様中でより詳細に決定され、ＷＳＰ仕様によるデータユニットはＷＡＰ ＷＳＰ仕様中でより詳細に対応して決定される。例えば、ＷＡＰ ＷＳＰ仕様中で、端末装置からサーバへの問合せの送信および対応してサーバから端末装置へ返信の送信用に用いられるプロトコルデータユニットＰｏｓｔおよびＲｅｐｌｙは、より詳細に決定される。両方のデータユニットは、サイズが数オクテット、すなわち数バイトのヘッダのような特定のフィールドを有し、これは、種々のタイプのヘッダ情報および実際の情報を含んでいるサイズが数オクテットのデータフィールドを含み得る。
【００３０】
以下の表１は、例えば、ＷＡＰプロトコルに従ってマルチメディアメッセージが送信される際に、どのようなタイプの情報がデータユニットのヘッダ中にあり得るかを示す。
【表１】
0004732656.tif 000002
【００３１】
したがって、１つのフィールドとして、ヘッダがフィールドメッセージクラス中に本発明によるメッセージの分類データを有しており、これは好ましい実施形態においては、
ｉ）個人的
ｉｉ）広告
ｉｉｉ）情報
とすることができ、さらに、したがって、メッセージがｉ）個人的、すなわちサーバから発信された個人的情報または別の端末装置から発信されたメッセージ（加入者接続）、ｉｉ）一般に商業広告情報を含んでいる広告メッセージまたはｉｉｉ）天気情報、株式市場情報、ニュース等のある主題に関する情報を含む情報メッセージのいずれであるかを通知する。
【００３２】
これらのクラスはさらにより細かくサブクラスに分割でき、これを以下に例により説明する。
【００３３】
メインクラスｉ）個人的は、次のようにサブクラスにさらに分割される。
ｉ．１）移動体発信個人、これはさらに次のサブクラスを有している。
ｉ１．１）端末装置から
ｉ１．２）インタフェースから
ｉ．２）非加入個人的内容
ｉ．３）加入個人的内容
【００３４】
これらのサブクラスの用途は次の通りである。メインクラス「個人的」は、個人的通信、ならびに個人的利用のみを意図したコンテンツサービスを意図している。第１のサブクラスｉ．１「移動体発信個人」は、端末装置からメッセージを送信するために用いられるクラスである。その中の２次レベルサブクラスｉ．１．１「端末装置から」は、一般にメッセージがユーザーにより作成されることを意味する。これは、マルチメディアメッセージのケースでは、ユーザーが端末装置で撮ったデジタル写真とすることができ、これに、図５に示されるようにテキストが付加されている。代わりに、２次レベルサブクラスｉ．１．２「インタフェースから」は、例えば、外部接続（例えば、ケーブル、赤外線または短距離ｒｆ接続）を介して移動局と接続している別のデバイス（コンピュータなど）から来るメッセージに付与される。このサブクラスの目的は、例えば、誰かがコンピュータ（サーバ）をワイヤレス端末装置に接続し、この端末装置を介して他の端末装置へ（サーバから直接的でなく）情報を送信した場合に、クラスマーキングの迂回を回避することである。しかしながら、このケースにおいては、端末装置はメッセージにクラス「インタフェースから」を付加し、その結果、受信端末装置は、当該クラスに属するメッセージの受信を阻止し得る。
【００３５】
第２の１次レベルサブクラスｉ．２「非加入個人的内容」および第３の１次レベルのサブクラスｉ．３「加入個人的内容」は、銀行からの口座計算書、銀行領収書の写しまたは航空会社チケット等の個人的内容を意図しており、これらは、加入（クラスｉ．２）しているか加入しなくとも銀行から来るものである。
【００３６】
メインクラスｉｉ）広告は、さらに以下のサブクラスに分割される。
ｉｉ．１）サービスパッケージ広告（加入）
ｉｉ．２）非加入広告
ｉｉ．２．１）地域広告
ｉｉ．２．２）都市部広告
ｉｉ．２．３）全国広告
ｉｉ．２．４）国際広告
【００３７】
これらのサブクラスの用途は次の通りである。メインクラス「広告」は、商業広告を意図している。このメインクラスは、２つの１次レベルサブクラス「サービスパッケージ広告」および「非加入広告」に分けられる。１次レベルサブクラス「サービスパッケージ広告」は、ユーザーが加入しているサービスパッケージの一部である広告のためのものである。したがって、ユーザーは、当該サービスパッケージを、無料でまたは当該サービスプロバイダを介して広告を同時に受信することに同意することに対して大幅割引で受け取ることができる。したがって、もしユーザーがそのような広告の受信を端末装置で阻止するならば、サービスは中断またはキャンセルし得る。１次レベルサブクラス「非加入広告」は、ユーザーが加入していないが興味をそそり得る広告のためのものである。これらの広告については、さらに４つの２次レベルサブクラスがあり、そのうちの「地域広告」は、ユーザーのすぐ身近な場所、例えば町の特定の地区に関する広告を含んでいる。これは、例えば、ユーザーにより知らされた住宅位置のように固定することができ、あるいは端末装置の位置を決定するためのネットワーク内の（ＧＰＳデバイスのような）手段または端末装置があり得る。サブクラス「都市広告」は、一般に、例えば同一都市内で、例えば公共輸送手段、車、または自転車により到達できる広告のためのものである。サブクラス「全国広告」は、一国をカバーするサービスのためのものであり、そのサービスは地域的にも得られるが、一般には、例えばその国の様々な地域で得られる。サブクラス「国際広告」は、例えば、外国での求人広告や外国での言語コースといった国際的なサービスのためのものである。
【００３８】
１次サブクラス「非加入広告」に属する前記４つの２次レベルサブクラスに属するすべてのメッセージは拒絶することができ、その場合、端末装置はメッセージを受信しない。
【００３９】
メインクラスｉｉｉ）情報は、さらに以下のサブクラスに分割される。
ｉｉｉ．１）緊急情報
ｉｉｉ．１．１）要即時アクション
ｉｉｉ．１．２）要アクション
ｉｉｉ．１．３）単純情報
ｉｉｉ．２）加入情報
ｉｉｉ．３）非加入情報
【００４０】
これらのサブクラスの用途は次の通りである。メインクラス「情報」は、通常は、トランザクション志向の情報サービスを意図したものである。１次レベルサブクラス「緊急情報」は、緊急状況のためのものである。これにはさらに３つの２次レベルサブクラスがあり、そのうちのサブクラス「要即時アクション」は、ユーザーが直ちに行動を取るべき場合の緊急メッセージのためのものである。端末装置はこの情報をユーザーに伝達する。例としては、例えば危険な化学漏洩または戦争状態に起因する即時避難の通知である。サブクラス「要アクション」は、例えば、差し迫っての生命の危険は全くないが、それにもかかわらず、ユーザーが行動を取るべき場合の、緊急事態メッセージのためのものである。例としては、（数日の警告時間がある）危険な嵐の接近である。サブクラス「単純情報」は、ユーザーに情報を送る必要があるが、その方法は必ずしも行動を必要とするものではない緊急状況と関連付け得る。これの例としては、メッセージ「警報解除！」またはメッセージ「嵐の進路は変わりました。１００ｋｍ北を通過しています」または同様のものとし得る。端末装置は、サブクラス「単純情報」に属するメッセージの受信のみが端末装置により阻止でき、最初に言及した２つのサブクラスに属するメッセージは端末装置により阻止されることなく配信されるように、プログラムされる。したがって、最初に言及したもののこれらのサブクラスおよびメインクラス「緊急情報」は、当局のツールとして利用し得る。なぜならば、端末装置は、そのクラスに属するメッセージの受信を阻止できないからである。
【００４１】
メインクラス「情報」下の１次レベルサブクラス「加入情報」は、ニュース、天気情報または天気予報、株価、スポーツニュース等の種々のトランザクション−特定加入情報用である。ユーザーは自分の端末装置でそのような情報の受信を阻止できる。１次レベルサブクラス「非加入情報」は、トランザクション−特定加入情報用の「加入情報」と同様にし得るが、ユーザーは加入していない。これは、ある自発的な組織または同様な組織により送信された地域の出来事また天気についての情報であり、ユーザーは、このタイプの情報の受信を阻止できる。
【００４２】
図２はマルチメディアメッセージを送信するためのシステムの例を示すもので、このシステムはその他の点では図１に対応している（したがって、この点については説明を繰り返さない）が、このシステムは、ここで例として用いたＷＡＰに接続されたマルチメディアメッセージングサービスセンターＭＭ−ＳＣをさらに有している。通常のＧＳＭネットワークにおいては、ＭＭ−ＳＣは、移動サービス切換センター（すなわち、いわゆるＭＳＣ）と接続でき、ＧＳＭ ＧＰＲＳネットワークにおいては、ＭＭ−ＳＣはサポートノード（すなわち、ＧＰＲＳから公知のいわゆるＳＧＳＮまたはＧＧＳＮ）と接続し得るであろう。
【００４３】
ＭＭ−ＳＣは、例えば、セルラーネットワークまたはインターネットネットワーク中に位置し得る、ネットワーク要素、サーバである。マルチメディメッセージングアサービスにおいて、ＭＭ−ＳＣは、ワイヤレス端末装置ＭＳ宛てのマルチメディアメッセージをそのメモリー内に蓄積する要素として働く。本発明の好ましい実施形態において、ＭＭ−ＳＣは、もしワイヤレス端末装置ＭＳがメッセージ受信を許可し、それに到達できる時には、マルチメディアメッセージを端末装置へさらに送付する。当該メッセージング機構は、蓄積交換メッセージングの名称で知られている。対応する構成が、ＧＳＭネットワークのショートメッセージに関連して知られており、そこではネットワークのショートメッセージサービスセンターＳＭ−ＳＣがショートメッセージの蓄積交換メッセージングを実行する。
【００４４】
ＭＭ−ＳＣはＷＡＰゲートウェイ１５を介してワイヤレス端末装置ＭＳと連絡する。物理的には、ＭＭ−ＳＣは好ましくは、ＷＡＰゲートウェイ１５と同じインターネットネットワーク部分中に位置する。典型的には、ＭＭ−ＳＣとＷＡＰゲートウェイ１５との間の通信はインターネットネットワークプロトコル（ＩＰプロトコル）に従って実施される。これらは、例えば、ＴＣＰ／ＩＰおよびＨＴＴＰ１．１である。
【００４５】
電子形式のテキスト、画像、写真、オーディオクリップまたはビデオクリップのような１つ以上のマルチメディアコンポーネントを含み得るマルチメディアメッセージがＭＭ−ＳＣに到来すると、ＭＭ−ＳＣはこれを自分のメモリー中に蓄積し、ワイヤレス端末装置ＭＳに対して、蓄積されたマルチメディアメッセージの合図として、ならびにフィルタリング用のクラスパラメータを通知するために通知メッセージを送る。
【００４６】
本発明の好ましい実施形態において、通知メッセージは、同じ内容タイプのテキスト形式およびバイナリ形式双方の情報の送信を可能にするメッセージとしてＷＡＰプロトコルを利用して実施される。ＷＡＰ仕様書によると、通知メッセージは、ＸＭＬ形式（拡張可能マークアップ言語）のインターネット互換テキスト形式表示およびＷＡＰのバイナリ符号化に従ったバイナリ形式の双方により決定できる。図３（ａ）は、通知メッセージ２１の考えられる１つの構造を大まかに示すもので、ここでは提示された通知メッセージ２１は、ヘッダ部分「ヘッダ情報」２２、さらに、例えば、マルチメディアメッセージに含まれている（１つ以上の）マルチメディアコンポーネントの特性（コンポーネントのタイプおよびサイズ）を示すためのフィールド２３を含んでいる。「ヘッダ情報」部分２２は、ＭＭ−ＳＣ中に蓄積されたマルチメディアメッセージの一般情報を示す本発明によるメッセージクラスフィールドを含んでいる。さらに、当該部分２２は、送信機のアドレスと優先順位についての情報を含み得る。
【００４７】
図３（ｂ）は、「ヘッダ情報」部分２２のメッセージクラスフィールドをより詳細に示すものである。図３（ｂ）におけるフィールドの内容および構造は、すでに上で説明したものに基づいている。したがって、これは、メインクラス、すなわち上記のクラスｉ、ｉｉおよびｉｉｉ、についての情報３０を有し、これは数で提示することもでき、例えば、ｉ＝個人、２＝広告および３＝情報である。それゆえ、メインクラスを通知するために、少なくとも２ビット（当該数を示すのに十分）が予約されるが、好ましくは１バイトすなわち８ビットである。さらに、上で提示されたクラス階層に従って１次レベル（例えば、ｉ．１）そしておそらくは第２レベルサブクラス（例えば、ｉ，１．１）を通知するクラスフィールドを含んでいるフィールド３１のサブクラス−１およびフィールド３２のサブクラス−２を数０により同様に示すことが可能であろう。これらはそれ自身のフィールド中にあるので、これらは連続順の数として対応的に提示でき、その結果、サブクラス−１においては、１＝移動体発信個人、２＝非加入個人的内容、．．．、７＝加入情報、および８＝非加入情報となるであろう。同様に、サブクラス−２においては、１＝端末装置から、２＝インタフェースから、．．．８＝要アクションおよび９＝単純情報となるであろう。フィールド３１および３２についても、１バイトを各々について予約できる。さらに、フィールド３１および３２において、サブクラスが未知であることが数０により示し得るであろう。
【００４８】
さらに、図３（ｂ）にはフィールド３３および３４があり、そこではフィールド３４は、移動国コード（ＭＣＣ、通常は３文字）、移動ネットワークコード（ＭＮＣ、通常は２文字）およびプロバイダＩＤ（ＰＩＤ、通常は最大１５文字）を含むサービスプロバイダＩＤである。コードＭＣＣおよびＭＮＣは、ＧＳＭ仕様書から公知である。フィールド３３はフィールド３４の長さを示す。同様に、フィールド３５および３６があり、そのうちのフィールド３６はサービス加入ＩＤ（最大１５文字）であり、フィールド３５はその長さを示す。さらに、分類フィールドはフィールド３７および３８を含んでおり、そのうちのフィールド３８はサービス内容ＩＤ（最大１５文字）であり、フィールド３７はその長さを示す。
【００４９】
図３（ａ）に関しては、もしマルチメディアメッセージが、電話番号が＋３５８ ４０ １２３４５６で優先順位が通常の別の端末装置から送信され、そして例えばサイズが３３０バイトのテキスト形式コンポーネントとサイズが１６４キロバイトのｍｐｅｇ形式ビデオとを含むのであれば、フィールド２２の情報およびフィールド２３に対応するテキスト形式の通知メッセージ２１中のラインは以下のようになるであろう。
【００５０】
メッセージ−メインクラス：個人
優先順位：通常
送信機：＋３５８ ４０ １２３４５６
メッセージ−コンポーネント−タイプ１：テキスト／プレーン
メッセージ−コンポーネント−サイズ１：３３０
メッセージ−コンポーネント−タイプ２：ビデオ／ｍｐｅｇ
メッセージ−コンポーネント−サイズ２：１６４０００
その結果、上部の３ラインはフィールド２２に関連し、下部の４ラインはフィールド２３に関連する。
【００５１】
好ましくは、このタイプの通知メッセージ２１は、バイナリ形式で符号化されたＷＡＰメッセージとして送信し得る。あるいは、通知メッセージ２１は、テキストを含む普通のショートメッセージなどの、一般に公知の他のやり方で、ワイヤレスネットワークからワイヤレス端末装置ＭＳへ配信し得る。
【００５２】
すべてのデータはバイナリ形式で無線パス上を通るけれども、テキスト形式データとバイナリ形式データとの間の違いが、データのグルーピングにおいて見られる。テキスト形式データは、送信される特定の符号語が個々のキャラクタすなわち文字と対応するようにグルーピングされる。前記符号語は、例えば、８ビット長とし得る。バイナリ形式データの送信においては、個々のビットのみが送信され、その結果、データ送信容量が節約される。
【００５３】
本発明の好ましい実施形態においては、通知メッセージ２１に含まれている情報は、バイナリ形式で送信される。前記通知メッセージ２１は、例えば、ＨＴＴＰ１．１（ハイパーテキスト転送プロトコル）において決定されたＰＯＳＴコマンドを用いたＸＭＬ形式の、ＩＰプロトコルに従ったメッセージとしてＭＭ−ＳＣからＷＡＰゲートへ行くことができる。もし通知メッセージ２１がテキスト形式の部分を含んでいれば、ＷＡＰゲートウェイは、ＷＡＰプロトコルに従って前記部分をバイナリ形式に変換し、前記通知メッセージ２１を特定のベアラを用いて無線パス上でワイヤレス端末装置へ送る。前記変換は、ＭＭ−ＳＣにおいてもすでに実行できる。通知メッセージ２１の転送に用いられるベアラは、例えば、ＧＳＭネットワークのショートメッセージサービス（ＳＭＳ）またはＵＳＳＤサービスとすることができ、これらはどちらもいわゆる非接続型サービスである。
【００５４】
前記通知メッセージ２１の受信後、ワイヤレス端末装置ＭＳは、本発明に従い、ＭＭ−ＳＣからのマルチメディアメッセージの取り込みの決定、すなわち、フィルタリング用に付加された通知メッセージ中のパラメータを読み、それを端末装置の蓄積された設定と比較し、あるいはユーザーに（特定のクラスについて）対して当該マルチメディアメッセージ受信の承認または拒否を要請する。受入れの場合、端末装置はＭＭ−ＳＣからマルチメディアメッセージを取り出す。拒否の場合、端末装置は、それがメッセージを拒否した旨の通知をＭＭ−ＳＣへ送り、その結果、そのメッセージは端末装置に配信されない。
【００５５】
上記では、図３（ａ）および図３（ｂ）に関連して、本発明に従って、実際の電子情報コンテンツを送る前に、フィルタリング用に要求される情報が別個の通知メッセージ中で端末装置へ送られる状況を説明した。代わりに、端末装置は、送信のヘッダ部を最初に読み取ることにより電子情報の送信からこの情報を読み取り、そうして初めて、もし端末装置が受信を許可すれば、ベース部分、すなわち実際の電子情報コンテンツを読み取り、あるいは受信が（フィルタリングに基づいて）阻止されれば、端末装置はベース部分を読み取らない。この代替例を例示するため、図４には、代表的な電子情報が示してあり、これはここでは好ましくはマルチメディアメッセージ４０である。この例では、マルチメディアメッセージは、ＷＡＰメッセージ、とりわけＷＳＰプロトコルに従ったメッセージであり、これは、一般的なＷＳＰヘッダ４１（ＷＳＰ仕様書中でより詳細に記載されている）と、本発明による（図３（ｂ）に示されるような）メッセージクラス情報ならびにマルチメディアメッセージに関連する他の考え得るヘッダ情報４３のためのフィールド４２と、メッセージベース４４、すなわち、マルチメディアメッセージの場合には、ＭＰＥＧ−ビデオおよびテキスト４６である、実際の電子情報とを有している。メッセージクラス情報は種々の方法で電子情報に含め得る。例えば、情報が分類されている単なるサブクラスがそのままあったり、あるいはメインクラスと１つ以上のサブクラスの両方があることもある。したがって、クラス情報は、個人ｉ）、ｉ．１）移動体発信個人およびｉ．１．１）端末装置から、の情報を含むことができ、好ましくは、情報は、図３（ｂ）に示したやり方で、独自のフィールドに分割される。
【００５６】
好ましくは、ヘッダ情報中で、図４に示した実施例におけるフィールド４２中には、メッセージのソースを識別するＩＤ４７などのメッセージのフィルタリングに必要とされる他の情報がさらにあり得る。メッセージのソースのこのＩＤ４７は、好ましくは、本発明による電子情報のフィルタリング用パラメータとしても用いられる。（クラス情報に加えて）この第２のパラメータを用いて、フィルタリングエリアをさらに特定できる。それゆえ、例えば、所定のクラスに属するメッセージの受信は総じて阻止できるが、もしソースＩＤ４７が特定のものであれば、メッセージの受信は認められ得る。このように、例えば、広告が特定のソースから来る場合以外は、この広告を阻止できる。例えば、パッケージの他のサービスを得るために特定の広告を受信するための関連条件を有することがある所定のサービスパッケージに関連して、まさにこの種のニーズがあり得る。
【００５７】
メインクラスｉ）の「移動体発信個人」メッセージにおいては、サービスプロバイダＩＤは通常、メッセージを送った端末装置の電話番号または電子メールアドレスである。この情報はメッセージのヘッダ情報中に見える（図４のフィールド４３中）。メインクラスｉｉ）およびｉｉｉ）のメッセージ中には、好ましくはクラス情報に加えて、ソースを識別するための以下のタイプのいくつかのＩＤがある。
ａ）サービスプロバイダＩＤ（ＳPＩＤ）
ｂ）サービス加入ＩＤ（ＳＳＩＤ）
ｃ）サービス内容ＩＤ（ＳＣＩＤ）
【００５８】
これらのＩＤの中で、ＩＤａ）、すなわちサービスプロバイダＩＤ（ＳＰＩＤ）はサービスプロバイダを識別、すなわち図３（ｂ）のフィールド３４に対応す。サービスプロバイダは、例えば、移動ネットワークまたはＭＭ−ＳＣアドミニストレータで登録されて、サービスプロバイダには所定のＩＤが与えられる。このＩＤに基づき、受信端末装置は、例えば、特定のサーバから発したすべての電子情報を受信することができる。ＩＤｂ）、すなわち、サービス加入ＩＤ（ＳＳＩＤ）は、クライアント、したがって、当該サービスへのそのクライアントの加入を識別するクライアント番号を含んでいる。このＩＤは、図３（ｂ）のフィールド３６中にあり、例えば、特定のサービスパッケージを参照することができ、その結果、受信端末装置はそのメッセージが加入サービスパッケージに関連していることを識別する。広告に関して、ＳＳＩＤは、したがって、クライアント関係の通知に用い得る。ＩＤｃ）、すなわち、サービス内容ＩＤ（ＳＣＩＤ）はいっそう正確なＩＤであり、これは当該メッセージの内容を識別、すなわち、特定のサービスプロバイダから発したメッセージが含んでいるものをより正確に識別する。このＩＤは図３（ｂ）のフィールド３８中にある。したがって、このＩＤは、例えば情報メッセージのケースで、そのメッセージが天候情報であることを告げ得る。ここに提示された模範的な分類においては、ＳＰＩＤ（ａ）、ＳＳＩＤ（ｂ）およびＳＣＩＤ（ｃ）といったこれらのＩＤは、すべてのＩＤ、つまりＳＰＩＤ、ＳＳＩＤおよびＳＣＩＤが、クラスｉ．３、ｉｉ．１およびｉｉｉ．２のメッセージに付加され、かつＳＰＩＤおよびＳＣＩＤが、クラスｉ．２、ｉｉ．２．１、ｉｉ．２．２、ｉｉ．２．３、ｉｉ．２．４、ｉｉｉ．１．１、ｉｉｉ．１．２、ｉｉｉ．１．３およびｉｉｉ．３のメッセージに付加されるように用いられる。
【００５９】
メッセージの内容を識別し、したがってそのメッセージを参照するために、ＳＳＩＤおよびＳＣＩＤのＩＤを用い得る。それゆえ、もし端末装置が特定の受信メッセージに関連した問合せを実行しようとすれば（すなわち、端末装置がサーバＭＭ−ＳＣに、なぜ当該メッセージが送信されたかを問い合わせる）、端末装置は、ＳＳＩＤおよびＳＣＩＤのＩＤを参照することができ、これに基づいてサーバは、例えば、もし利用者が当該メッセージの受信を阻止したければ何をすべきかをアドバイスできる。
【００６０】
本発明の好ましい実施形態において、図４に示す送信される電子情報の例（ここでは、マルチメディアメッセージの情報）は、送信前にバイナリ符号化される。バイナリ符号化はＷＡＰ仕様書から公知であり、例えば、ＷＡＰ ＷＳＰ仕様書に準拠してＷＳＰプロトコルに従って実行し得る。
【００６１】
図５は、本発明によるワイヤレス端末装置ＭＳおよびそのユーザーインタフェースの例、ならびに端末装置のディスプレイ上の模範的なマルチメディアメッセージを示すものである。ここでは、端末装置は、ディスプレイ５１、キーボード５２、スピーカー５３およびマイクロフォン５４を備えたハンドヘルド携帯電話５３である移動局ＭＳとして例示してある。加えて、マルチメディア通信が可能な端末装置は、好ましくは、静止画および動画を撮りそれをワイヤレス接続上で送るためのカメラ５５をさらに備えている。代わりに、Ｎｏｋｉａ９１１０メッセンジャーデバイスで知られているように、画像は、例えばＩＲ接続を介してデジタルカメラからワイヤレス端末装置ＭＳへ転送できる。端末装置のディスプレイ５１上に示された例は、ユーザーが、行こうとしているカフェの写真を撮り、その写真に「このカフェで会おう」というテキストを加え、さらに画像に、例えば、メニューコマンドの背後に見られる矢印を加えたものである。この後、端末装置は、パッケージ全体、すなわち、画像、テキストおよび矢印、を単独のマルチメディアメッセージにして受信機へ送る。このケースでは、メッセージは端末装置により形成され、その結果、端末装置（あるいは、後により多くの情報が提供される、マルチメディアメッセージングサービスセンターＭＭ−ＳＣ）が、メッセージのヘッダのメッセージクラスフィールド（フィールド４２、フィールド２２またはより正確にはフィールド３１）にクラス情報「端末装置から」を加える。受信端末装置は、到来するマルチメディアメッセージのヘッダ中のクラス情報およびことによると送信機の電話番号を読み、これらのデータに基づいて（受信端末装置のユーザーによりなされた設定に応じて）メッセージを受信する。
【００６２】
図６は、本発明による方法を実施するワイヤレス端末装置の動作に必須のパーツを例示するものである。ワイヤレス端末装置ＭＳは、プロセッサＭＰＵおよびこのプロセッサと機能的に接続されたパーツ、すなわち、メモリＭＥＭ、ユーザーインタフェースＵＩ、および無線パーツＲＦを含んでいる。プロセッサＭＰＵは、好ましくは、マイクロプロセッサ，コントローラまたはデジタル信号プロセッサ（ＤＳＰ）である。メモリーＭＥＭは、好ましくは、不揮発性読み出し専用メモリ（ＲＯＭ）およびリードアクセスメモリ（ＲＡＭ）を備えている。無線パーツＲＦは、そのアンテナＡＥＲによって、ＷＡＰプロトコルに従ったメッセージのような無線周波メッセージを送信し、マルチメディアメッセージのような無線周波メッセージを受信できる。ユーザーインタフェースＵＩは、好ましくは、ワイヤレス端末装置ＭＳを使うためのディスプレイとキーボードとをユーザーに提供する。
【００６３】
ワイヤレス端末装置ＭＳのソフトウェアは、マルチメディアメッセージのヘッダの読み取りの実施に関連したソフトウェアでもあって、一般には不揮発性メモリ中に記憶される。プロセッサＭＰＵは、このソフトウェアに基づいて、無線パーツＲＦの使用、ユーザーインタフェースＵＩによるメッセージの表示、さらにはユーザーインタフェースＵＩから受けた入力の表示などのワイヤレス端末装置ＭＳのオペレーションを制御する。多くの種々の方法で実施できるこのソフトウェアは、好ましくは、種々の手順の実施を担当するプログラムブロックを有している。これらの手続は、例えば、マルチメディアメッセージを受信したときのヘッダ読み取りおよびそのヘッダに基づく端末装置オペレーションの制御、送信されるメッセージへのヘッダ付加（例えば、「個人」およびそれに属するサブクラス）、設定の制御およびその設定に基づいたオペレーションの制御である。したがって、ユーザーは、どのクラス（サブクラス）に分類されたメッセージを受信することが許可されており、どのクラス（サブクラス）に分類されたメッセージを拒絶、すなわち、受信拒否するかに関しての設定をあらかじめ端末装置に入力できる。このような状況なので、端末装置は、好ましくは、別々に来る通知メッセージ中のクラス情報を最初に読み、もし当該クラスが設定により終了されれば、実際のメッセージは全く受信されず、その結果、不要なメッセージ処理は全く実行されない場合に、電流消費量の節約がもたらされる。代わりに、端末装置は最初に、送信された実際のメッセージのヘッダ中のクラス情報を読み、もし当該クラスがセッティングにより終了されれば、メッセージの後半部分が全く受信されず、その結果、不要なメッセージ処理が全く実行されない場合に、電流消費量の節約がもたらされる。本発明によるワイヤレス端末装置におけるヘッダ（すなわち、端末装置のクラス情報および考えられるＩＤ情報）の付加または読み取りは、最終的に、ソフトウェアおよびワイヤレス端末装置のメモリＭＥＭと共にプロセッサＭＰＵにより実行される。これは自動的に実施され、この点で、ソフトウェアは暗号化、すなわち不正操作に対して保護される。したがって、ユーザーは、例えば、メッセージ中に入れられたクラス情報をユーザーインタフェースで操ることはできないが、端末装置（すなわちＭＰＵ）は、そのメッセージがユーザーにより作成された（クラスｉ．１．１）か、あるいはそのメッセージが別のデバイスからインタフェースを介して来る（クラスｉ．１．２）かに応じて、これを自動的に行う。
【００６４】
図７は、本発明の実施に関連して、ネットワークと通信しているマルチメディアメッセージングサービスセンターＭＭ−ＳＣの機能ブロックを例示するブロック図を示すものである。マルチメディアメッセージジングサービスセンターＭＭ−ＳＣは、例えば、図１に示されるＷＡＰゲートウェイ１５へ接続される。代わりに、ＭＭ−ＳＣは、例えば、ＧＳＭネットワークにおいて、移動サービス切換センター（ショートメッセージサービスセンターの接続と類似）に接続することができ、あるいはＧＰＲＳネットワークのケースでは、ネットワークのいわゆるサポートノードに接続できる。ＭＭ−ＳＣは、ＷＡＰゲートウェイインタフェース７１を備え、これを介してＭＭ−ＳＣはＷＡＰゲートウェイ１５と連絡する。外部インタフェース７２を介して、ＷＡＰシステム外の他のネットワークへの通信が処理され、ＭＭ−ＳＣインタフェース７３を介して、考えられる他のマルチメディアメッセージングサービスセンターへの通信が処理される。データ記憶装置７４は、マルチメディアメッセージが記憶および保持されるデータベースである。制御ユニット７５は、ＭＭ−ＳＣのオペレーションを制御する。
【００６５】
ワイヤレス端末装置ＭＳ宛てのマルチメディアメッセージは、ＭＭ−ＳＣに含まれたいくつかのインタフェース（７１−７３）を介してＭＭ−ＳＣに到着し、データ記憶装置７４中に記憶される。メッセージクラスおよびソースのＩＤのような他の考えられるフィルタリングパラメータは、メッセージを送信したサーバまたは端末装置によりすでに付加されており、さらにメッセージを送信したソースに従って制御ユニット７５がメッセージ中のメッセージクラスが正しいことをチェックする。代わりに、制御ユニット７５は、フィルタリングパラメータ（メッセージクラス）を、送信されるメッセージのヘッダに付加する。もしメッセージクラスとメッセージ内容との間の一致を疑う理由があれば、制御ユニットは、そのメッセージを送信機に戻すように制御し得る。もしソースが電話ネットワークの端末装置であれば、制御ユニット７５は、メッセージに含まれているいわゆるＡ加入者ＩＤからメッセージのソースを見る。もしそのメッセージがサーバから発したものであれば、ソースのＩＤは、例えば、ＩＰアドレス（しかしながら、これは必ずしも信頼できる識別表示ではない）になり得る。
【００６６】
上で提示したクラスに加え、検証できなかった情報のためのクラスがあり、その結果、例えば、ＭＭ−ＳＣは、端末装置に配信される電子情報に、クラス情報「信頼できないソース」または同様のものを付加できるであろう。このクラスは、特に、インターネット（ウェブサーバ）から発する情報に有用になり得るであろう。
【００６７】
本明細書は、本発明の実施および実施形態を例を用いて提示するものである。当業者は、本発明が上で提示された実施形態の詳細に限定されないこと、および本発明が、本発明の特徴を逸脱することなく別の形態でも実施し得ることを理解するであろう。上で提示された実施形態は例示的なものであり、限定的ではないと理解されるべきである。したがって、本発明の実施および利用の可能性は、同封の請求項により限定されるのみである。その結果、請求項により決定されるような本発明の実施の種々の選択肢も、本発明の範囲に属する。
【図面の簡単な説明】
【図１】  ＷＡＰシステムのモデルを示す。
【図２】  本発明の１つの実施形態によるシステムを示す。
【図３（ａ）】  本発明による通知メッセージの大まかな構造を示す。
【図３（ｂ）】  本発明の１つの実施形態によるフィルタリングパラメータを示す。
【図４】  本発明によるマルチメディアメッセージの例を示す。
【図５】  端末装置とマルチメディアメッセージのユーザーインタフェースの例を示す。
【図６】  本発明による方法を実施する移動局の必須部分のブロック図を例示する。
【図７】  本発明によりメッセージを転送するサーバの機能ブロックを例示するブロック図である。
【図１】
0004732656.tif 000003
【図２】
0004732656.tif 000004
【図３ａ】
0004732656.tif 000005
【図３ｂ】
0004732656.tif 000006
【図４】
0004732656.tif 000007
【図５】
0004732656.tif 000008
【図６】
0004732656.tif 000009
【図７】
0004732656.tif 000010